(57)【要約】【解決手段】眼科手術用器具１のハンドル３及びゲージ４を透過樹脂により一体成形したので、軽量になって眼球の角膜に処置を施し易くなるとともに、金属で成形する場合より製造コストが下がって安価になるために使い捨て易くなり、眼科手術用器具１の洗浄及び滅菌が不要となって感染症のリスクを低くすることができる。透過樹脂であるゲージ４を通して角膜を容易に視認することができ、角膜に処置を施し易くなる。ハンドル３において、頭部１５の幅寸法を把持部１４からゲージ４に向かうに従い次第に大きくなるように設定して、頭部１５で最も大きい曲げ応力が生じ易い頭端部３ａの幅寸法を最も大きく設定している。ハンドル３とゲージ４とを透過樹脂により一体成形したにもかかわらず、頭部１５の断面形状を改良して頭部１５の強度を高め、ハンドル３の強度を高めることができる。【効果】眼科手術用器具１の使い勝手を良くすることができる。【選択図】図１
2018175702.tif 000002
【特許請求の範囲】
【請求項１】
頭端部と尻端部との間で延設したハンドルと手術用機能部とを備えた眼科手術用器具において、このハンドルは尻端部から頭端部側へ延設した把持部と、この把持部と頭端部との間で延設した頭部とを有し、この頭部と前記手術用機能部とを樹脂により一体成形し、ハンドルの延設方向を含む鉛直面に対し直交する幅方向で、この頭部の最大幅寸法をこの把持部の最大幅寸法より大きく設定するとともにこの手術用機能部の最大幅寸法より小さく設定するかまたは同一に設定したことを特徴とする眼科手術用器具。
【請求項２】
前記ハンドルにおいて把持部と頭部とを樹脂により一体成形したことを特徴とする請求項１に記載の眼科手術用器具。
【請求項３】
頭端部と尻端部との間で延設したハンドルと手術用機能部とを備えた眼科手術用器具において、このハンドルは尻端部から頭端部側へ延設した把持部と、この把持部と頭端部との間で延設した頭部とを有し、この頭部と前記手術用機能部とを透過樹脂により一体成形し、ハンドルの延設方向を含む鉛直面に対し直交する幅方向で、この頭部の最大幅寸法をこの把持部の最大幅寸法より大きく設定するとともにこの手術用機能部の最大幅寸法より小さく設定するかまたは同一に設定したことを特徴とする眼科手術用器具。
【請求項４】
頭端部と尻端部との間で延設したハンドルと手術用機能部とを備えた眼科手術用器具において、このハンドルは尻端部から頭端部側へ延設した把持部と、この把持部と頭端部との間で延設した頭部とを有し、この頭部と前記手術用機能部とを透過樹脂により一体成形したことを特徴とする眼科手術用器具。
【請求項５】
前記ハンドルにおいて把持部と頭部とを透過樹脂により一体成形したことを特徴とする請求項３または請求項４に記載の眼科手術用器具。
【請求項６】
前記ハンドルにおいて頭部の幅寸法は把持部から手術用機能部に向かうに従い次第に大きくなるように設定されていることを特徴とする請求項１〜３のうちいずれか一つの請求項に記載の眼科手術用器具。
【請求項７】
前記ハンドルの頭部は、幅方向の両端部に設けた端壁と、この両端壁間に設けた底壁と、この両端壁と底壁とにより囲まれた凹所とを有していることを特徴とする請求項６に記載の眼科手術用器具。
【請求項８】
前記ハンドルの頭部において底壁には凹所に対する反対側で補強部を設けたことを特徴とする請求項７に記載の眼科手術用器具。
【発明の詳細な説明】
【技術分野】
【０００１】
本発明は眼球の角膜などに処置を施すための眼科手術用器具に関するものである。
【背景技術】
【０００２】
下記の特許文献１などに開示された眼科手術用器具は、ハンドルと手術用機能部とを備え、ステンレス鋼などの金属により成形されている。この手術用機能部は、角膜厚さの測定や角膜へのマーク付与などの各種機能を有している。
【先行技術文献】
【特許文献】
【０００３】
【特許文献１】特開平８−３２２７９５号公報
【発明の概要】
【発明が解決しようとする課題】
【０００４】
従来の眼科手術用器具は、ステンレス鋼などのように重量のある金属により成形されているため、眼球の角膜に手術用機能部を当てがって処置を施す際に、使い勝手が悪くなっていた。そのため、チタンなどの軽い金属により眼科手術用器具を成形した場合、使い勝手は良くなるが、高価になるため、再使用タイプとなっていた。また、ステンレス鋼やチタンなどの金属により眼科手術用器具を成形する場合には、製造コストが上がって高価になるため、再使用タイプとなっていた。
【０００５】
再使用する場合には、器具の洗浄及び滅菌に手間がかかったり、器具の洗浄及び滅菌の不良により感染症のリスクが高くなったりするおそれがあった。また、金属は不透明であるため、手術用機能部を通して角膜を視認することができず、正確な手術を行う際に障害になる場合があって、使い勝手が悪くなっていた。
【０００６】
この発明は、眼科手術用器具の使い勝手を良くすることを目的としている。
【課題を解決するための手段】
【０００７】
後記実施形態の図面（図１〜６に示す第１実施形態、図７〜８に示す第２実施形態、図９〜１０に示す第３実施形態）の符号を援用して本発明を説明する。
請求項１の発明にかかる眼科手術用器具（１）は、第１〜３実施形態に対応し、頭端部（３ａ）と尻端部（３ｂ）との間で延設したハンドル（３）と、手術用機能部（４）とを備えている。このハンドル（３）は、尻端部（３ｂ）から頭端部（３ａ）側へ延設した把持部（１４）と、この把持部（１４）と頭端部（３ａ）との間で延設した頭部（１５）とを有している。この頭部（１５）と前記手術用機能部（４）とを樹脂により一体成形している。ハンドル（３）の延設方向（Ｘ）を含む鉛直面（Ｖ）に対し直交する幅方向（Ｙ）で、この頭部（１５）の最大幅寸法をこの把持部（１４）の最大幅寸法より大きく設定するとともに、この手術用機能部（４）の最大幅寸法より小さく設定するかまたは同一に設定している。
【０００８】
請求項１の発明では、眼科手術用器具（１）において、ハンドル（３）の頭部（１５）と手術用機能部（４）とを樹脂により一体成形したので、軽量になって眼球の角膜（３８）などに処置を施し易くなるとともに、金属で成形する場合より製造コストが下がって安価になるために使い捨て易くなり、眼科手術用器具（１）の洗浄及び滅菌が不要となって感染症のリスクを低くすることができる。また、眼科手術用器具（１）において、ハンドル（３）の頭部（１５）と手術用機能部（４）とを樹脂により一体成形したにもかかわらず、頭部（１５）の強度を高めてハンドル（３）の強度を高めることができる。
【０００９】
請求項１の発明を前提とする請求項２の発明（第１〜３実施形態に対応）にかかるハンドル（３）においては、把持部（１４）と頭部（１５）とを樹脂により一体成形している。請求項２の発明では、眼科手術用器具（１）において、手術用機能部（４）とハンドル（３）の頭部（１５）とを樹脂により一体成形するばかりでなく、ハンドル（３）の頭部（１５）と把持部（１４）とを樹脂により一体成形したので、より一層軽量になって眼球の角膜（３８）などに処置を施し易くなるとともに、安価となって使い捨て易くなり、眼科手術用器具（１）の洗浄及び滅菌が不要となって感染症のリスクを低くすることができる。
【００１０】
請求項３の発明にかかる眼科手術用器具（１）は、第１〜３実施形態に対応し、頭端部（３ａ）と尻端部（３ｂ）との間で延設したハンドル（３）と、手術用機能部（４）とを備えている。このハンドル（３）は、尻端部（３ｂ）から頭端部（３ａ）側へ延設した把持部（１４）と、この把持部（１４）と頭端部（３ａ）との間で延設した頭部（１５）とを有している。この頭部（１５）と前記手術用機能部（４）とを透過樹脂により一体成形している。ハンドル（３）の延設方向（Ｘ）を含む鉛直面（Ｖ）に対し直交する幅方向（Ｙ）で、この頭部（１５）の最大幅寸法をこの把持部（１４）の最大幅寸法より大きく設定するとともに、この手術用機能部（４）の最大幅寸法より小さく設定するかまたは同一に設定している。
【００１１】
請求項３の発明では、眼科手術用器具（１）において、ハンドル（３）の頭部（１５）と手術用機能部（４）とを樹脂により一体成形したので、軽量になって眼球の角膜（３８）などに処置を施し易くなるとともに、金属で成形する場合より製造コストが下がって安価になるために使い捨て易くなり、眼科手術用器具（１）の洗浄及び滅菌が不要となって感染症のリスクを低くすることができる。また、眼科手術用器具（１）において、ハンドル（３）の頭部（１５）と手術用機能部（４）とを樹脂により一体成形したにもかかわらず、頭部（１５）の強度を高めてハンドル（３）の強度を高めることができる。特に、頭部（１５）と手術用機能部（４）とを透過樹脂により一体成形したので、透過樹脂である手術用機能部（４）を通して眼球の角膜（３８）などを容易に視認することができ、眼球の角膜（３８）などに処置を施し易くなる。
【００１２】
請求項４の発明にかかる眼科手術用器具（１，２）は、第１〜３実施形態に対応し、頭端部（３ａ，２３ａ）と尻端部（３ｂ，２３ｂ）との間で延設したハンドル（３，２３）と、手術用機能部（４，２４）とを備えている。このハンドル（３，２３）は、尻端部（３ｂ，２３ｂ）から頭端部（３ａ，２３ａ）側へ延設した把持部（１４，３３）と、この把持部（１４，３３）と頭端部（３ａ，２３ａ）との間で延設した頭部（１５，３４）とを有している。この頭部（１５，３４）と前記手術用機能部（４，２４）とを透過樹脂により一体成形している。
【００１３】
請求項４の発明では、眼科手術用器具（１，２）において、ハンドル（３，２３）の頭部（１５，３４）と手術用機能部（４，２４）とを透過樹脂により一体成形したので、軽量になって眼球の角膜（３８）などに処置を施し易くなるとともに、金属で成形する場合より製造コストが下がって安価になるために使い捨て易くなり、眼科手術用器具（１，２）の洗浄及び滅菌が不要となって感染症のリスクを低くすることができる。特に、透過樹脂である手術用機能部（４，２４）を通して眼球の角膜（３８）などを容易に視認することができ、眼球の角膜（３８）などに処置を施し易くなる。
【００１４】
請求項３または請求項４の発明を前提とする請求項５の発明（第１〜３実施形態に対応）にかかるハンドル（３，２３）においては、把持部（１４，３３）と頭部（１５，３４）とを透過樹脂により一体成形している。請求項５の発明では、眼科手術用器具（１，２）において、手術用機能部（４，２４）とハンドル（３，２３）の頭部（１５，３４）とを透過樹脂により一体成形するばかりでなく、ハンドル（３，２３）の頭部（１５，３４）と把持部（１４，３３）とを透過樹脂により一体成形したので、より一層軽量になって眼球の角膜（３８）などに処置を施し易くなるとともに、安価となって使い捨て易くなり、眼科手術用器具（１，２）の洗浄及び滅菌が不要となって感染症のリスクを低くすることができる。
【００１５】
請求項１〜３のうちいずれか一つの請求項の発明を前提とする請求項６の発明（第１〜３実施形態に対応）にかかるハンドル（３）において、頭部（１５）の幅寸法は把持部（１４）から手術用機能部（４）に向かうに従い次第に大きくなるように設定されている。請求項６の発明では、ハンドル（３）の頭部（１５）において、最も大きい曲げ応力が生じ易い頭端部（３ａ）の幅寸法を最も大きく設定したので、手術用機能部（４）に対し樹脂により一体成形した頭部（１５）の強度を高めてハンドル（３）の強度を高めることができる。
【００１６】
請求項６の発明を前提とする請求項７の発明（第１〜３実施形態に対応）において、前記ハンドル（３）の頭部（１５）は、幅方向（Ｙ）の両端部に設けた端壁（１６）と、この両端壁（１６）間に設けた底壁（１７）と、この両端壁（１６）と底壁（１７）とにより囲まれた凹所（１８）とを有している。請求項７の発明では、眼科手術用器具（１）において、手術用機能部（４）に対し樹脂により一体成形した頭部（１５）の断面形状を改良して、頭部（１５）の強度を高めてハンドル（３）の強度を高めることができる。
【００１７】
請求項７の発明を前提とする請求項８の発明（第１〜３実施形態に対応）にかかるハンドル（３）の頭部（１５）において、底壁（１７）には凹所（１８）に対する反対側で補強部（１９）を設けている。請求項８の発明では、眼科手術用器具（１）において、手術用機能部（４）に対し樹脂により一体成形した頭部（１５）の断面形状を改良して、頭部（１５）の強度を高めてハンドル（３）の強度を高めることができる。
【００１８】
次に、請求項以外の技術的思想について実施形態の図面の符号を援用して説明する。
請求項３〜５のうちいずれか一つの請求項の発明を前提とする第９の発明（第１〜３実施形態に対応）において、前記透過樹脂の可視光の透過率は５５％以上１００％以下の範囲に設定されている。第９の発明では、眼科手術用器具（１，２）において、手術用機能部（４，２４）を通して眼球の角膜（３８）などを容易に視認することができる。
【００１９】
請求項１〜８のうちいずれか一つの請求項の発明または第９の発明を前提とする第１０の発明（第１〜３実施形態に対応）において、前記手術用機能部は、幅方向（Ｙ）を含む水平面（Ｈ）に対し直交する中心線（５ａ）の方向の両側のうち、一方の側にこの中心線（５ａ）を中心として所定円周角度で延びる表面（７）を設けるとともに、他方の側にこの中心線（５ａ）を中心として所定円周角度で延びる裏面（８）を設けたゲージ（４）であって、その表面（７）にはこの中心線（５ａ）を中心とする円周方向に沿う目盛（１２）を付している。第１０の発明では、ゲージ（４）を有する眼科手術用器具（１）において、請求項１〜８のうちいずれか一つの請求項の発明または第９の発明の効果を発揮させることができる。
【００２０】
第１０の発明を前提とする第１１の発明（第１実施形態に対応）において、前記ゲージ（４）の表面（７）は前記中心線（５ａ）から外側へ離間するに従い表面（７）側から裏面（８）側に向かうように傾斜して設けられている。第１１の発明では、ゲージ（４）において、目盛（１２）を付した表面（７）における反射光の反射向きを中心線（５ａ）に直交する水平面（Ｈ）に対し傾斜させて目盛（１２）を容易に視認することができる。
【００２１】
第１０の発明を前提とする第１２の発明（第２実施形態に対応）において、前記ゲージ（４）の表面（７）は前記中心線（５ａ）に対し直交する水平面（Ｈ）に沿って設けられている。第１２の発明では、ゲージ（４）において目盛（１２）が水平な表面（７）に付されているので、眼科手術のように顕微鏡を介して真上（鉛直方向）から術野を見る場合、目盛（１２）を容易に視認することができる。
【００２２】
第１０の発明を前提とする第１３の発明（第３実施形態に対応）において、前記ゲージ（４）の表面（７）は前記中心線（５ａ）から外側へ離間するに従い裏面（８）側から表面（７）側に向かうように傾斜して設けられている。第１３の発明では、ゲージ（４）において、目盛（１２）を付した表面（７）における反射光の反射向きを中心線（５ａ）に直交する水平面（Ｈ）に対し傾斜させて目盛（１２）を容易に視認することができる。
【００２３】
第１０〜１３の発明のうちいずれか一つの発明を前提とする第１４の発明（第１，３実施形態に対応）において、前記ゲージ（４）の目盛（１２）は凸状に設けられている。第１４の発明では、ゲージ（４）において、目盛（１２）を凸状にして容易に視認することができる。
【００２４】
第１０〜１４の発明のうちいずれか一つの発明を前提とする第１５の発明（第１〜３実施形態に対応）において、前記ハンドル（１）の把持部（１４）は前記ゲージ（４）の中心線（５ａ）から外側へ離間するに従いゲージ（４）の裏面（８）側から表面（７）側に向かうように傾斜して設けられている。第１５の発明では、ゲージ（４）を有する眼科手術用器具（１）において、ハンドル（３）によりゲージ（４）を容易に操作することができる。
【００２５】
第１０〜１５の発明のうちいずれか一つの発明を前提とする第１６の発明（第１〜３実施形態に対応）において、前記ゲージ（４）の表面（７）及び裏面（８）は内孔（５）の外周に設けられている。第１６の発明では、ゲージ（４）を有する眼科手術用器具（１）を内孔（５）により軽くすることができる。また、内孔（５）内に例えばマーカ等の別の器具を配置し、それらの器具をゲージ（４）に合わせて配置したり調整したりして手術を容易に行うことができる。
【００２６】
第１７の発明（第１〜３実施形態に対応）は、第１６の発明に記載した第一の眼科手術用器具（１）と、頭端部（２３ａ）と尻端部（２３ｂ）との間で延設したハンドル（２３）とこの第一の眼科手術用器具（１）のゲージ（４）の内孔（５）に挿入される手術用機能部であるマーカ（２４）を有する第二の眼科手術用器具（２）とを備えている。この第二の眼科手術用器具（２）のハンドル（２３）は、尻端部（２３ｂ）から頭端部（２３ａ）側へ延設した把持部（３３）と、この把持部（３３）と頭端部（２３ａ）との間で延設した頭部（３４）とを有している。このマーカ（２４）にはこのゲージ（４）の内孔（５）でゲージ（４）の目盛（１２）に対峙させることができる印部（３０）を設けている。第１７の発明では、ゲージ（４）を有する第一の眼科手術用器具（１）とマーカ（２４）を有する第二の眼科手術用器具（２）とを互いに組み合わせ、ゲージ（４）の目盛(１２)に合わせたマーカ(２４)の印部(３０)により眼球の角膜(３８)などにマーク（Ｍ１，Ｍ２）を付けることができる。
【００２７】
第１７の発明を前提とする第１８の発明（第１〜３実施形態に対応）にかかる第二の眼科手術用器具（２）において、ハンドル（２３）とマーカ（２４）とを樹脂により一体成形している。第１８の発明では、ハンドル(２３)とマーカ(２４)とを樹脂により一体成形した第二の眼科手術用器具（２）において、軽量になって眼球の角膜(３８)などに処置を施し易くなるとともに、金属で成形する場合より製造コストが下がって安価になるために使い捨て易くなり、第二の眼科手術用器具（２）の洗浄及び滅菌が不要となって感染症のリスクを低くすることができる。
【００２８】
第１７の発明を前提とする第１９の発明（第１〜３実施形態に対応）にかかる第二の眼科手術用器具（２）において、ハンドル（２３）とマーカ（２４）とを透過樹脂により一体成形している。第１９の発明では、第１８の発明の効果に加え、透過樹脂であるマーカ(２４)を通して眼球の角膜(３８)などを容易に視認することができ、眼球の角膜(３８)などに処置を施し易くなる。
【００２９】
第１７〜１９の発明のうちいずれか一つの発明を前提とする第２０の発明（第１実施形態に対応）にかかるマーカ（２４）においては、ハンドル（２３）の延設方向（Ｘ）を含む鉛直面（Ｖ）に対し直交する幅方向（Ｙ）を含む水平面（Ｈ）に対し直交する中心線（２５ａ）の方向の両側のうち、一方の側にこの中心線（２５ａ）を中心として所定円周角度で延びる表面（２８）を設けるとともに、他方の側にこの中心線（２５ａ）を中心として所定円周角度で延びる裏面（２９）を設け、このマーカ（２４）の表面（２８）は前記中心線（２５ａ）から外側へ離間するに従い表面（１８）側から裏面（２９）側に向かうように傾斜して設けられている。第２０の発明では、マーカ(２４)の表面(２８)における反射光の反射向きを中心線（２５ａ）に直交する水平面（Ｈ）に対し傾斜させてゲージ（４）の目盛(１２)を容易に視認することができる。
【００３０】
第１７〜１９の発明のうちいずれか一つの発明を前提とする第２１の発明（第２実施形態に対応）にかかるマーカ（２４）においては、ハンドル（２３）の延設方向（Ｘ）を含む鉛直面（Ｖ）に対し直交する幅方向（Ｙ）を含む水平面（Ｈ）に対し直交する中心線（２５ａ）の方向の両側のうち、一方の側にこの中心線（２５ａ）を中心として所定円周角度で延びる表面（２８）を設けるとともに、他方の側にこの中心線（２５ａ）を中心として所定円周角度で延びる裏面（２９）を設け、このマーカ（２４）の表面（２８）は前記中心線（２５ａ）に対し直交する水平面（Ｈ）に沿って設けられている。第２１の発明では、ゲージ（４）の目盛（１２）が付された表面（７）に対しマーカ（２４）の表面（２８）が水平面（Ｈ）に沿って並ぶので、眼科手術のように顕微鏡を介して真上（鉛直方向）から術野を見る場合、ゲージ（４）の目盛（１２）を容易に視認することができる。
【００３１】
第１７〜１９の発明のうちいずれか一つの発明を前提とする第２２の発明（第３実施形態に対応）にかかるマーカ（２４）においては、ハンドル（２３）の延設方向（Ｘ）を含む鉛直面（Ｖ）に対し直交する幅方向（Ｙ）を含む水平面（Ｈ）に対し直交する中心線（２５ａ）の方向の両側のうち、一方の側にこの中心線（２５ａ）を中心として所定円周角度で延びる表面（２８）を設けるとともに、他方の側にこの中心線（２５ａ）を中心として所定円周角度で延びる裏面（２９）を設け、このマーカ（２４）の表面（２８）は前記中心線（２５ａ）から外側へ離間するに従い裏面（２９）側から表面（２８）側に向かうように傾斜して設けられている。第２２の発明では、マーカ(２４)の表面(２８)における反射光の反射向きを中心線（２５ａ）に直交する水平面（Ｈ）に対し傾斜させてゲージ（４）の目盛(１２)を容易に視認することができる。
【００３２】
第２０〜２２の発明のうちいずれか一つの発明を前提とする第２３の発明（第１〜３実施形態に対応）にかかる第二の眼科手術用器具（２）のハンドル（２３）において、尻端部（２３ｂ）から頭端部（２３ａ）側へ延設した把持部（３３）は、前記マーカ（２４）の中心線（２５ａ）から外側へ離間するに従いマーカ（２４）の裏面（２９）側から表面（２８）側に向かうように傾斜して設けられている。第２３の発明では、マーカ(２４)を有する第二の眼科手術用器具（２）において、ハンドル（２３）によりマーカ(２４)を容易に操作することができる。
【００３３】
請求項１〜８の発明のうちいずれか一つの請求項の発明、または第９〜２３の発明のうちいずれか一つの発明を前提とする第２４の発明（第１〜３実施形態に対応）にかかるハンドル（３，２３）の把持部（１４，３３）において、周方向で環状に連続する複数の突条（２２，３７）をハンドル（３，２３）の延設方向（Ｘ）へ互いに間隔をあけて並設した滑止部（２０，３５）を設け、この滑止部（２０，３５）の各突条（２２，３７）で、ハンドル（３，２３）の延設方向（Ｘ）を含む鉛直面（Ｖ）に沿う方向の両側のうち、一方の側に表部（２２ａ，３７ａ）を設けるとともに、他方の側に裏部（２２ｂ，３７ｂ）を設け、この鉛直面（Ｖ）に対し直交する幅方向（Ｙ）の両側でこの表部（２２ａ，３７ａ）と裏部（２２ｂ，３７ｂ）とを結ぶ側部（２２ｃ，３７ｃ）を設け、この側部（２２ｃ，３７ｃ）はこの表部（２２ａ，３７ａ）から裏部（２２ｂ，３７ｂ）に向かうに従いハンドル（３，２３）の尻端部（３ｂ，２３ｂ）側から頭端部（３ａ，２３ａ）側に向かうようにハンドル（３，２３）の延設方向（Ｘ）に対し傾斜している。例えば、この側部（２２ｃ，３７ｃ）は前記中心線（５ａ，２５ａ）に対し平行に設けられている。第２４の発明では、眼科手術用器具（１，２）において、特定形状の突条（２２，３７）を有する滑止部（２０，３５）によりハンドル（３，２３）の操作を行い易い。
【００３４】
第２４の発明を前提とする第２５の発明（第１〜３実施形態に対応）にかかるハンドル（３，２３）の把持部（１４，３３）において、滑止部（２０，３５）はハンドル（３，２３）の尻端部（３ｂ，２３ｂ）と頭部（１５，３４）との間の中間部とその頭部（１５，３４）との間に設けられている。第２５の発明では、眼科手術用器具（１，２）において、特定形状の突条（２２，３７）を有する滑止部（２０，３５）によりハンドル（３，２３）の操作を行い易い。
【００３５】
第２５の発明を前提とする第２６の発明（第１〜３実施形態に対応）にかかるハンドル（３，２３）の把持部（１４，３３）において、ハンドル（３，２３）の尻端部（３ｂ，２３ｂ）と滑止部（２０，３５）との間には滑止部（２０，３５）と異なる指当部（２１，３６）を設けている。第２６の発明では、眼科手術用器具（１，２）において、特定形状の突条（２２，３７）を有する滑止部（２０，３５）とその滑止部（２０，３５）と異なる指当部（２１，３６）とによりハンドル（３，２３）の操作を行い易い。
【発明の効果】
【００３６】
本発明は、眼科手術用器具（１，２）の使い勝手を良くすることができる。
【図面の簡単な説明】
【００３７】
【図１】（ａ）は第１実施形態にかかる第一の眼科手術用器具を示す斜視図であり、（ｂ）は同じく正面図であり、（ｃ）は同じく平面図であり、（ｄ）は同じく正面側から見た断面図である。
【図２】（ａ）は図１（ｃ）の部分拡大平面図であり、（ｂ）は（ａ）のＡ１−Ａ１線断面図であり、（ｃ）は（ａ）のＡ２−Ａ２線断面図であり、（ｄ）は（ａ）のＡ３−Ａ３線断面図である。
【図３】（ａ）は第１実施形態にかかる第二の眼科手術用器具を示す斜視図であり、（ｂ）は同じく正面図であり、（ｃ）は同じく平面図であり、（ｄ）は同じく正面側から見た断面図である。
【図４】（ａ）は図３（ｃ）の部分拡大平面図であり、（ｂ）は（ａ）のＢ１−Ｂ１線断面図であり、（ｃ）は（ａ）のＢ２−Ｂ２線断面図であり、（ｄ）は（ａ）のＢ３−Ｂ３線断面図である。
【図５】（ａ）は第１実施形態にかかる第一の眼科手術用器具と第１実施形態にかかる第二の眼科手術用器具とを互いに組み合わせた使用状態を示す斜視図であり、（ｂ）は（ａ）の部分拡大斜視図であり、（ｃ）はその使用状態を示す部分拡大平面図であり、（ｄ）は（ｃ）のＣ−Ｃ線における部分断面図である。
【図６】（ａ）は眼球の角膜の水平方向両側にマークＭ１を付けた状態を示す模式図であり、（ｂ）は角膜のマークＭ１にゲージの目盛を合わせた状態を示す模式図であり、（ｃ）は水平方向両側のマークＭ１を互いに結ぶ線に対する角膜の強主経線の交差角度だけマーカをずらしてゲージ  の目盛に合わせた状態を示す模式図であり、（ｄ）はマーカにより角膜にマークＭ２を付けた状態を示す模式図であり、（ｅ）はレンズに付けたマークＭ３を角膜のマークＭ２に合わせた状態を示す模式図である。
【図７】（ａ）は第２実施形態にかかる第一の眼科手術用器具の部分拡大平面図であり、（ｂ）は（ａ）のＤ−Ｄ線断面図である。
【図８】（ａ）は第２実施形態にかかる第二の眼科手術用器具の部分拡大平面図であり、（ｂ）は（ａ）のＥ−Ｅ線断面図である。
【図９】（ａ）は第３実施形態にかかる第一の眼科手術用器具の部分拡大平面図であり、（ｂ）は（ａ）のＦ−Ｆ線断面図である。
【図１０】（ａ）は第３実施形態にかかる第二の眼科手術用器具の部分拡大平面図であり、（ｂ）は（ａ）のＧ−Ｇ線断面図である。
【発明を実施するための形態】
【００３８】
まず、本発明の第１実施形態について図１〜６を参照して説明する。
第１実施形態にかかる眼科手術用器具セットは、図１及び図２に示す第一の眼科手術用器具１と図３及び図４に示す第二の眼科手術用器具２とを備え、図５に示すように第一の眼科手術用器具１と第二の眼科手術用器具２とを互いに組み合わせて使用する。
【００３９】
図１及び図２に示す第一の眼科手術用器具１は、頭端部３ａと尻端部３ｂとの間で延設したハンドル３と、手術用機能部としてのゲージ４とを備えている。ハンドル３の長さは約１００ｍｍに設定されているが、それ以外の長さに設定してもよい。ハンドル３とゲージ４とは樹脂により一体成形されている。樹脂は例えばポリカーボネート樹脂を主体とし、透過性を有している。ポリカーボネート樹脂以外、例えばポリオレフィンや環状オレフィン・コポリマなどの樹脂を採用してもよい。透過樹脂の可視光の透過率は、５５％以上１００％以下、好ましくは６５％以上９５％以下の範囲に設定されている。
【００４０】
ゲージ４は、平坦な円筒形状をなし、内孔５と、内孔５の外周を囲う周壁６とを有している。ハンドル３の延設方向Ｘを含む鉛直面Ｖと、鉛直面Ｖに直交する幅方向Ｙを含む水平面Ｈとを想定した場合、内孔５は、水平面Ｈに直交する中心線５ａを中心とする断面円形状をなし、中心線５ａの方向の上下両側で開放されている。内孔５の内径は約１２ｍｍに設定されているが、それ以外の内径に設定してもよい。周壁６の上側には中心線５ａを中心として３６０度の円周角度で延びる表面７が内孔５の外周に設けられ、周壁６の下側には中心線５ａを中心として３６０度の円周角度で延びる裏面８が内孔５の外周に設けられている。周壁６の表面７の外周には端壁９がハンドル３に対する連続部１０を除いて設けられ、表面７の上方で端壁９の内側に凹所１１が内孔５に連通して設けられている。
【００４１】
凹所１１においてゲージ４の表面７は中心線５ａから外側へ離間するに従い表面７側から裏面８側に向かうように傾斜して設けられている。ゲージ４の表面７には内孔５の外周に沿って凸状の目盛１２が付されている。凸状の目盛１２の表面にはしぼ加工が施されているため、表面７と目盛１２との見え方が異なり、目盛１２が見易くなる。目盛１２は５度ずつの間隔で付されているが、この間隔以外でもよく、例えば１度ずつの間隔で付してもよいし、それ以外の間隔で付してもよい。ゲージ４の裏面８は中心線５ａに直交する水平面Ｈに沿って設けられている。ゲージ４の裏面８には複数の小突起１３が円周方向へ互いに間隔をあけて並設されている。
【００４２】
ハンドル３は、尻端部３ｂから頭端部３ａ側へ延設した把持部１４と、把持部１４と頭端部３ａとの間で延設した頭部１５とを有し、頭端部３ａでゲージ４の周壁６の上側に連続部１０で連続している。ハンドル３の把持部１４及び頭部１５においてその延設方向Ｘは、ゲージ４の中心線５ａから外側へ離間するに従いゲージ４の裏面８側から表面７側に向かうように、水平面Ｈに対し例えば４５度だけ傾斜して設けられている。頭部１５は、幅方向Ｙの両端部に設けた端壁１６と、両端壁１６間に設けた底壁１７と、両端壁１６と底壁１７とにより囲まれた凹所１８とを有している。頭部１５の両端壁１６はゲージ４の端壁９から連続して把持部１４まで設けられている。頭部１５の凹所１８はゲージ４の凹所１１に連続している。頭部１５において底壁１７には凹所１８に対する反対側で補強部としてのリブ１９がハンドル３の延設方向Ｘに沿って設けられている。頭部１５の両端壁１６間の幅寸法は把持部１４からゲージ４に向かうに従い次第に大きくなるように設定されている。把持部１４は丸棒状をなし、頭部１５の最大幅寸法を把持部１４の最大幅寸法より大きく設定するとともにゲージ４の最大幅寸法より小さく設定している。頭部１５の最大幅寸法をゲージ４の最大幅寸法と同一に設定してもよい。
【００４３】
ハンドル３の把持部１４においては、ハンドル３の尻端部３ｂと頭部１５との間の中間部とその頭部１５との間に滑止部２０が設けられ、ハンドル３の尻端部３ｂと滑止部２０との間には滑止部２０と異なる指当部２１が設けられている。滑止部２０においては、周方向で円環状に連続する複数の突条２２がハンドル３の延設方向Ｘへ互いに間隔をあけて並設されている。各突条２２においては、鉛直面Ｖに沿う方向の上下両側のうち、上側に表部２２ａが設けられているとともに下側に裏部２２ｂが設けられ、幅方向Ｙの両側で表部２２ａと裏部２２ｂとを結ぶ側部２２ｃが設けられている。両側部２２ｃは、表部２２ａから裏部２２ｂに向かうに従いハンドル３の尻端部３ｂ側から頭端部３ａ側に向かうようにハンドル３の延設方向Ｘに対し傾斜しているとともに、ゲージ４の中心線５ａと平行になっている。ハンドル３の指当部２１は突条２２のない平坦面になっている。
【００４４】
図３及び図４に示す第二の眼科手術用器具２は、頭端部２３ａと尻端部２３ｂとの間で延設したハンドル２３と、手術用機能部としてのマーカ２４とを備えている。ハンドル２３の長さは約１００ｍｍに設定されているが、それ以外の長さに設定してもよい。ハンドル２３とマーカ２４とは樹脂により一体成形されている。樹脂は例えばポリカーボネート樹脂を主体とし、透過性を有している。ポリカーボネート樹脂以外、例えばポリオレフィンや環状オレフィン・コポリマなどの樹脂を採用してもよい。透過樹脂の可視光の透過率は、５５％以上１００％以下、好ましくは６５％以上９５％以下の範囲に設定されている。
【００４５】
マーカ２４は、内孔２５と、内孔２５の外周を囲う周壁２６とを有している。ハンドル２３の延設方向Ｘを含む鉛直面Ｖと、鉛直面Ｖに直交する幅方向Ｙを含む水平面Ｈとを想定した場合、内孔２５は、水平面Ｈに直交する中心線２５ａを中心とする断面円形状をなし、中心線２５ａの方向の上下両側で開放されている。周壁２６の上側にはハンドル２３に対する連続部２７が上方へ突出して設けられているとともに、中心線２５ａを中心として連続部２７を除く円周角度で延びる表面２８が内孔２５の外周に設けられ、周壁２６の下側には中心線２５ａを中心として３６０度の円周角度で延びる裏面２９が内孔２５の外周に設けられている。なお、内孔２５を省略してもよい。
【００４６】
マーカ２４の表面２８は中心線２５ａから外側へ離間するに従い表面２８側から裏面２９側に向かうように傾斜して設けられている。マーカ２４の裏面２９は中心線２５ａに直交する水平面Ｈに沿って設けられている。マーカ２４の周壁２６の外周において幅方向Ｙの両側には中心線２５ａから離れる外側へ突出する印部３０が１８０度間隔で設けられている。印部３０において、上側には指針部３１が設けられ、下側には裏面２９より下方で転写部３２が設けられている。
【００４７】
ハンドル２３は、尻端部２３ｂから頭端部２３ａ側へ延設した把持部３３と、把持部３３と頭端部２３ａとの間で延設した頭部３４とを有し、頭端部２３ａでマーカ２４の周壁２６の連続部２７に連続している。ハンドル２３の把持部３３及び頭部３４においてその延設方向Ｘは、マーカ２４の中心線２５ａから外側へ離間するに従いマーカ２４の裏面２９側から表面２８側に向かうように、水平面Ｈに対し例えば４５度だけ傾斜して設けられている。頭部３４は平坦な形状をなし、把持部３３は丸棒状をなしている。周壁２６の連続部２７の最大幅寸法と頭部３４の最大幅寸法と把持部３３の最大幅寸法とは、互いにほぼ同一に設定されているとともに、周壁２６の最大幅寸法より小さく設定されている。
【００４８】
ハンドル２３の把持部３３においては、ハンドル２３の尻端部２３ｂと頭部３４との間の中間部とその頭部３４との間に滑止部３５が設けられ、ハンドル２３の尻端部２３ｂと滑止部３５との間には滑止部３５と異なる指当部３６が設けられている。滑止部３５においては、円周方向で円環状に連続する複数の突条３７がハンドル２３の延設方向Ｘへ互いに間隔をあけて並設されている。各突条３７においては、鉛直面Ｖに沿う方向の上下両側のうち、上側に表部３７ａが設けられているとともに下側に裏部３７ｂが設けられ、幅方向Ｙの両側で表部３７ａと裏部３７ｂとを結ぶ側部３７ｃが設けられている。両側部３７ｃは、表部３７ａから裏部３７ｂに向かうに従いハンドル２３の尻端部２３ｂ側から頭端部２３ａ側に向かうようにハンドル２３の延設方向Ｘに対し傾斜しているとともに、マーカ２４の中心線２５ａと平行になっている。ハンドル２３の指当部３６は突条３７のない平坦面になっている。
【００４９】
図５に示すように、第一の眼科手術用器具１と第二の眼科手術用器具２とを互いに組み合わせて使用する場合には、ゲージ４の内孔５にマーカ２４を挿入してマーカ２４の両印部３０の指針部３１をゲージ４の目盛１２に対峙させ、ゲージ４の目盛１２に合わせてマーカ２４を回動させてゲージ４に対するマーカ２４の位置を設定する。
【００５０】
次に乱視矯正を伴う白内障手術における眼科手術用器具１，２の使用例を概説する。
図６（ａ）に示すように、患者が起きて正面を見た状態で角膜３８の水平方向両側にインク付与器具により線状のマークＭ１を付ける。また、患者が起きて正面を見た状態で検査機器により角膜３８の形状を測定及び分析し、角膜３８の曲率半径が最も小さい部分である強主経線を求める。そして、水平方向両側のマークＭ１を互いに結ぶ線と強主経線との交差角度を算出する。
【００５１】
次に、図６（ｂ）に示すように、患者が寝て上方を見た状態で角膜３８の外周にゲージ４の目盛１２を配置して、角膜３８の両マークＭ１にゲージ４の目盛１２（例えば０度及び１８０度）を合わせる。また、マーカ２４の両印部３０の転写部３２にインクを付ける。そして、図６（ｃ）に示すように、ゲージ４の内孔５にマーカ２４を配置して、水平方向両側のマークＭ１を互いに結ぶ線に対する強主経線の交差角度だけゲージ４の目盛１２（例えば０度及び１８０度）に対しずらしてマーカ２４の両印部３０の指針部３１を合わせた後、マーカ２４の両印部３０の転写部３２を角膜３８に押し当てる。すると、図６（ｄ）に示すように、角膜３８にインクが付与されて線状のマークＭ２が付される。その場合、角膜３８の両マークＭ２が角膜３８の強主経線に一致する。
【００５２】
その後、ゲージ４及びマーカ２４を角膜３８から離した後、白内障の手術を行い、乱視矯正用眼内レンズ３９を眼球内に挿入する。そして、図６（ｅ）に示すように、乱視矯正用眼内レンズ３９に付された両マークＭ３を角膜３８の両マークＭ２に合わせるように、眼球内で乱視矯正用眼内レンズ３９の向きを設定して、乱視矯正用眼内レンズ３９を角膜３８の強主経線に合う最適位置に配置することができる。従って、白内障の手術と同時に、乱視矯正用眼内レンズ３９により角膜３８の歪みを補正して乱視矯正を行うことができる。
【００５３】
図７〜８に示す本発明の第２実施形態において、ゲージ４の表面７及びマーカ２４の表面２８は中心線５ａ，２５ａに対し直交する水平面Ｈに沿って設けられ、ゲージ４の表面７に凹状の目盛１２が付されている点で第一実施形態と相違する。
【００５４】
図９〜１０に示す本発明の第３実施形態において、ゲージ４の表面７及びマーカ２４の表面２８は中心線５ａ，２５ａから外側へ離間するに従い裏面２９側から表面２８側に向かうように傾斜して設けられている点で第一実施形態と相違する。
【００５５】
本実施形態は下記の効果を有する。
（１）  第１〜３実施形態において、第一の眼科手術用器具１のハンドル３及びゲージ４、または、第二の眼科手術用器具２のハンドル２３及びマーカ２４を透過樹脂により一体成形したので、軽量になって眼球の角膜３８などに処置を施し易くなるとともに、金属で成形する場合より製造コストが下がって安価になるために使い捨て易くなり、第一の眼科手術用器具１及び第二の眼科手術用器具２の洗浄及び滅菌が不要となって感染症のリスクを低くすることができる。特に、透過樹脂であるゲージ４及びマーカ２４を通して眼球の角膜３８などを容易に視認することができ、眼球の角膜３８などに処置を施し易くなる。従って、第一の眼科手術用器具１及び第二の眼科手術用器具２の使い勝手を良くすることができる。
【００５６】
（２）  第１〜３実施形態の第一の眼科手術用器具１において、ハンドル３の延設方向Ｘを含む鉛直面Ｖに対し直交する幅方向Ｙで、ハンドル３の頭部１５の最大幅寸法をハンドル３の把持部１４の最大幅寸法より大きく設定するとともに、ゲージ４の最大幅寸法より小さく設定するかまたは同一に設定している。特に、ハンドル３において、頭部１５の幅寸法を把持部１４からゲージ４に向かうに従い次第に大きくなるように設定して、頭部１５で最も大きい曲げ応力が生じ易い頭端部３ａの幅寸法を最も大きく設定している。例えば、ハンドル３の頭部１５は、幅方向Ｙの両端部に設けた端壁１６と、両端壁１６間に設けた底壁１７と、両端壁１６と底壁１７とにより囲まれた凹所１８と、底壁１７において凹所１８に対する反対側で設けたリブ１９とを有している。そのため、ハンドル３とゲージ４とを透過樹脂により一体成形したにもかかわらず、頭部１５の断面形状を改良して頭部１５の強度を高め、ハンドル３の強度を高めることができる。従って、第一の眼科手術用器具１及び第二の眼科手術用器具２の使い勝手を良くすることができる。
【００５７】
前記実施形態以外にも例えば下記のように構成してもよい。
・  第一の眼科手術用器具１のハンドル３及びゲージ４や第二の眼科手術用器具２のハンドル２３及びマーカ２４を透過樹脂以外に不透明樹脂により一体成形することができる。
【００５８】
・  第一の眼科手術用器具１のハンドル３や第二の眼科手術用器具２のハンドル２３において、頭部１５，３４に対し把持部１４，３３を透明樹脂により一体成形する以外に、頭部１５，３４に対し把持部を別素材により成形して連結したり把持部を着脱して交換可能にしたりすることができる。また、手術用機能部としてのゲージやマーカに対しハンドルを着脱可能に連結し、ゲージやマーカを使い捨てるとともにハンドルを着脱して複数回使用するようにしてもよい。
【００５９】
・  第一の眼科手術用器具１のゲージ４や第二の眼科手術用器具２のマーカ２４において、中心線５ａ，２５ａを中心とする３６０度の円周角度で周壁６，２６を設ける以外に、例えば１８０度の円周角度で周壁６，２６を設けることができる。
【００６０】
・  手術用機能部としては、第一の眼科手術用器具１のゲージ４や、第二の眼科手術用器具２のマーカ２４以外に、角膜厚さの測定など、眼科手術において必要な各種機能を採用することができる。
【００６１】
・  混色成形または多色成形により、手術用機能部としてのゲージ４やマーカ２４とハンドル３，２３とを互いに異なる樹脂により成形してその樹脂の可視光の透過率を変えたり、手術用機能部としてのゲージ４やマーカ２４を単色樹脂で成形するとともに、その単色樹脂と異なる色の樹脂を混合してハンドル３，２３を成形するようにしてもよい。
【００６２】
・  ゲージ４の目盛１２については、凹凸状の形態以外に、印刷やレーザーマーキングなどの表示手段を採用することができる。
【符号の説明】
【００６３】
１…第一の眼科手術用器具、２…第二の眼科手術用器具、３…第一の眼科手術用器具のハンドル、３ａ…頭端部、３ｂ…尻端部、４…第一の眼科手術用器具のゲージ（手術用機能部）、１４…ハンドルの把持部、１５…ハンドルの頭部、１６…頭部の端壁、１７…頭部の底壁、１８…頭部の凹所、１９…頭部のリブ（補強部）、２３…第二の眼科手術用器具のハンドル、２３ａ…頭端部、２３ｂ…尻端部、２４…第二の眼科手術用器具のマーカ（手術用機能部）、３３…ハンドルの把持部、３４…ハンドルの頭部、Ｘ…ハンドルの延設方向、Ｖ…鉛直面、Ｙ…幅方向。
【図１】
2018175702.tif 000003
【図２】
2018175702.tif 000004
【図３】
2018175702.tif 000005
【図４】
2018175702.tif 000006
【図５】
2018175702.tif 000007
【図６】
2018175702.tif 000008
【図７】
2018175702.tif 000009
【図８】
2018175702.tif 000010
【図９】
2018175702.tif 000011
【図１０】
2018175702.tif 000012
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
頭端部と尻端部との間で延設したハンドルと手術用機能部とを備えた眼科手術用器具において、このハンドルは尻端部から頭端部側へ延設した把持部と、この把持部と頭端部との間で延設した頭部とを有し、この頭部と前記手術用機能部とを樹脂により一体成形し、ハンドルの延設方向を含む鉛直面に対し直交する幅方向で、この頭部の最大幅寸法をこの把持部の最大幅寸法より大きく設定するとともにこの手術用機能部の最大幅寸法より小さく設定するかまたは同一に設定したことを特徴とする眼科手術用器具。
【請求項２】
前記ハンドルにおいて把持部と頭部とを樹脂により一体成形したことを特徴とする請求項１に記載の眼科手術用器具。
【請求項３】
頭端部と尻端部との間で延設したハンドルと手術用機能部とを備えた眼科手術用器具において、このハンドルは尻端部から頭端部側へ延設した把持部と、この把持部と頭端部との間で延設した頭部とを有し、この頭部と前記手術用機能部とを透過樹脂により一体成形し、ハンドルの延設方向を含む鉛直面に対し直交する幅方向で、この頭部の最大幅寸法をこの把持部の最大幅寸法より大きく設定するとともにこの手術用機能部の最大幅寸法より小さく設定するかまたは同一に設定したことを特徴とする眼科手術用器具。
【請求項４】
前記ハンドルにおいて把持部と頭部とを透過樹脂により一体成形したことを特徴とする請求項３に記載の眼科手術用器具。
【請求項５】
前記ハンドルにおいて頭部の幅寸法は把持部から手術用機能部に向かうに従い次第に大きくなるように設定されていることを特徴とする請求項１〜３のうちいずれか一つの請求項に記載の眼科手術用器具。
【請求項６】
前記ハンドルの頭部は、幅方向の両端部に設けた端壁と、この両端壁間に設けた底壁と、この両端壁と底壁とにより囲まれた凹所とを有していることを特徴とする請求項５に記載の眼科手術用器具。
【請求項７】
前記ハンドルの頭部において底壁には凹所に対する反対側で補強部を設けたことを特徴とする請求項６に記載の眼科手術用器具。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項３の発明を前提とする請求項４の発明（第１〜３実施形態に対応）にかかるハンドル（３，２３）においては、把持部（１４，３３）と頭部（１５，３４）とを透過樹脂により一体成形している。請求項４の発明では、眼科手術用器具（１，２）において、手術用機能部（４，２４）とハンドル（３，２３）の頭部（１５，３４）とを透過樹脂により一体成形するばかりでなく、ハンドル（３，２３）の頭部（１５，３４）と把持部（１４，３３）とを透過樹脂により一体成形したので、より一層軽量になって眼球の角膜（３８）などに処置を施し易くなるとともに、安価となって使い捨て易くなり、眼科手術用器具（１，２）の洗浄及び滅菌が不要となって感染症のリスクを低くすることができる。
【手続補正５】
【補正対象書類名】明細書
【補正対象項目名】００１５
【補正方法】変更
【補正の内容】
【００１５】
請求項１〜３のうちいずれか一つの請求項の発明を前提とする請求項５の発明（第１〜３実施形態に対応）にかかるハンドル（３）において、頭部（１５）の幅寸法は把持部（１４）から手術用機能部（４）に向かうに従い次第に大きくなるように設定されている。請求項５の発明では、ハンドル（３）の頭部（１５）において、最も大きい曲げ応力が生じ易い頭端部（３ａ）の幅寸法を最も大きく設定したので、手術用機能部（４）に対し樹脂により一体成形した頭部（１５）の強度を高めてハンドル（３）の強度を高めることができる。
【手続補正６】
【補正対象書類名】明細書
【補正対象項目名】００１６
【補正方法】変更
【補正の内容】
【００１６】
請求項５の発明を前提とする請求項６の発明（第１〜３実施形態に対応）において、前記ハンドル（３）の頭部（１５）は、幅方向（Ｙ）の両端部に設けた端壁（１６）と、この両端壁（１６）間に設けた底壁（１７）と、この両端壁（１６）と底壁（１７）とにより囲まれた凹所（１８）とを有している。請求項６の発明では、眼科手術用器具（１）において、手術用機能部（４）に対し樹脂により一体成形した頭部（１５）の断面形状を改良して、頭部（１５）の強度を高めてハンドル（３）の強度を高めることができる。
【手続補正７】
【補正対象書類名】明細書
【補正対象項目名】００１７
【補正方法】変更
【補正の内容】
【００１７】
請求項６の発明を前提とする請求項７の発明（第１〜３実施形態に対応）にかかるハンドル（３）の頭部（１５）において、底壁（１７）には凹所（１８）に対する反対側で補強部（１９）を設けている。請求項７の発明では、眼科手術用器具（１）において、手術用機能部（４）に対し樹脂により一体成形した頭部（１５）の断面形状を改良して、頭部（１５）の強度を高めてハンドル（３）の強度を高めることができる。
【手続補正８】
【補正対象書類名】明細書
【補正対象項目名】００１８
【補正方法】変更
【補正の内容】
【００１８】
次に、請求項以外の技術的思想について実施形態の図面の符号を援用して説明する。
請求項３又は４の発明を前提とする第８の発明（第１〜３実施形態に対応）において、前記透過樹脂の可視光の透過率は５５％以上１００％以下の範囲に設定されている。第８の発明では、眼科手術用器具（１，２）において、手術用機能部（４，２４）を通して眼球の角膜（３８）などを容易に視認することができる。
【手続補正９】
【補正対象書類名】明細書
【補正対象項目名】００１９
【補正方法】変更
【補正の内容】
【００１９】
請求項１〜７のうちいずれか一つの請求項の発明または第８の発明を前提とする第９の発明（第１〜３実施形態に対応）において、前記手術用機能部は、幅方向（Ｙ）を含む水平面（Ｈ）に対し直交する中心線（５ａ）の方向の両側のうち、一方の側にこの中心線（５ａ）を中心として所定円周角度で延びる表面（７）を設けるとともに、他方の側にこの中心線（５ａ）を中心として所定円周角度で延びる裏面（８）を設けたゲージ（４）であって、その表面（７）にはこの中心線（５ａ）を中心とする円周方向に沿う目盛（１２）を付している。第９の発明では、ゲージ（４）を有する眼科手術用器具（１）において、請求項１〜７のうちいずれか一つの請求項の発明または第８の発明の効果を発揮させることができる。
【手続補正１０】
【補正対象書類名】明細書
【補正対象項目名】００２０
【補正方法】変更
【補正の内容】
【００２０】
第９の発明を前提とする第１０の発明（第１実施形態に対応）において、前記ゲージ（４）の表面（７）は前記中心線（５ａ）から外側へ離間するに従い表面（７）側から裏面（８）側に向かうように傾斜して設けられている。第１０の発明では、ゲージ（４）において、目盛（１２）を付した表面（７）における反射光の反射向きを中心線（５ａ）に直交する水平面（Ｈ）に対し傾斜させて目盛（１２）を容易に視認することができる。
【手続補正１１】
【補正対象書類名】明細書
【補正対象項目名】００２１
【補正方法】変更
【補正の内容】
【００２１】
第９の発明を前提とする第１１の発明（第２実施形態に対応）において、前記ゲージ（４）の表面（７）は前記中心線（５ａ）に対し直交する水平面（Ｈ）に沿って設けられている。第１１の発明では、ゲージ（４）において目盛（１２）が水平な表面（７）に付されているので、眼科手術のように顕微鏡を介して真上（鉛直方向）から術野を見る場合、目盛（１２）を容易に視認することができる。
【手続補正１２】
【補正対象書類名】明細書
【補正対象項目名】００２２
【補正方法】変更
【補正の内容】
【００２２】
第９の発明を前提とする第１２の発明（第３実施形態に対応）において、前記ゲージ（４）の表面（７）は前記中心線（５ａ）から外側へ離間するに従い裏面（８）側から表面（７）側に向かうように傾斜して設けられている。第１２の発明では、ゲージ（４）において、目盛（１２）を付した表面（７）における反射光の反射向きを中心線（５ａ）に直交する水平面（Ｈ）に対し傾斜させて目盛（１２）を容易に視認することができる。
【手続補正１３】
【補正対象書類名】明細書
【補正対象項目名】００２３
【補正方法】変更
【補正の内容】
【００２３】
第９〜１２の発明のうちいずれか一つの発明を前提とする第１３の発明（第１，３実施形態に対応）において、前記ゲージ（４）の目盛（１２）は凸状に設けられている。第１３の発明では、ゲージ（４）において、目盛（１２）を凸状にして容易に視認することができる。
【手続補正１４】
【補正対象書類名】明細書
【補正対象項目名】００２４
【補正方法】変更
【補正の内容】
【００２４】
第９〜１３の発明のうちいずれか一つの発明を前提とする第１４の発明（第１〜３実施形態に対応）において、前記ハンドル（１）の把持部（１４）は前記ゲージ（４）の中心線（５ａ）から外側へ離間するに従いゲージ（４）の裏面（８）側から表面（７）側に向かうように傾斜して設けられている。第１４の発明では、ゲージ（４）を有する眼科手術用器具（１）において、ハンドル（３）によりゲージ（４）を容易に操作することができる。
【手続補正１５】
【補正対象書類名】明細書
【補正対象項目名】００２５
【補正方法】変更
【補正の内容】
【００２５】
第９〜１４の発明のうちいずれか一つの発明を前提とする第１５の発明（第１〜３実施形態に対応）において、前記ゲージ（４）の表面（７）及び裏面（８）は内孔（５）の外周に設けられている。第１５の発明では、ゲージ（４）を有する眼科手術用器具（１）を内孔（５）により軽くすることができる。また、内孔（５）内に例えばマーカ等の別の器具を配置し、それらの器具をゲージ（４）に合わせて配置したり調整したりして手術を容易に行うことができる。
【手続補正１６】
【補正対象書類名】明細書
【補正対象項目名】００２６
【補正方法】変更
【補正の内容】
【００２６】
第１６の発明（第１〜３実施形態に対応）は、第１５の発明に記載した第一の眼科手術用器具（１）と、頭端部（２３ａ）と尻端部（２３ｂ）との間で延設したハンドル（２３）とこの第一の眼科手術用器具（１）のゲージ（４）の内孔（５）に挿入される手術用機能部であるマーカ（２４）を有する第二の眼科手術用器具（２）とを備えている。この第二の眼科手術用器具（２）のハンドル（２３）は、尻端部（２３ｂ）から頭端部（２３ａ）側へ延設した把持部（３３）と、この把持部（３３）と頭端部（２３ａ）との間で延設した頭部（３４）とを有している。このマーカ（２４）にはこのゲージ（４）の内孔（５）でゲージ（４）の目盛（１２）に対峙させることができる印部（３０）を設けている。第１５の発明では、ゲージ（４）を有する第一の眼科手術用器具（１）とマーカ（２４）を有する第二の眼科手術用器具（２）とを互いに組み合わせ、ゲージ（４）の目盛(１２)に合わせたマーカ(２４)の印部(３０)により眼球の角膜(３８)などにマーク（Ｍ１，Ｍ２）を付けることができる。
【手続補正１７】
【補正対象書類名】明細書
【補正対象項目名】００２７
【補正方法】変更
【補正の内容】
【００２７】
第１６の発明を前提とする第１７の発明（第１〜３実施形態に対応）にかかる第二の眼科手術用器具（２）において、ハンドル（２３）とマーカ（２４）とを樹脂により一体成形している。第１７の発明では、ハンドル(２３)とマーカ(２４)とを樹脂により一体成形した第二の眼科手術用器具（２）において、軽量になって眼球の角膜(３８)などに処置を施し易くなるとともに、金属で成形する場合より製造コストが下がって安価になるために使い捨て易くなり、第二の眼科手術用器具（２）の洗浄及び滅菌が不要となって感染症のリスクを低くすることができる。
【手続補正１８】
【補正対象書類名】明細書
【補正対象項目名】００２８
【補正方法】変更
【補正の内容】
【００２８】
第１６の発明を前提とする第１８の発明（第１〜３実施形態に対応）にかかる第二の眼科手術用器具（２）において、ハンドル（２３）とマーカ（２４）とを透過樹脂により一体成形している。第１８の発明では、第１７の発明の効果に加え、透過樹脂であるマーカ(２４)を通して眼球の角膜(３８)などを容易に視認することができ、眼球の角膜(３８)などに処置を施し易くなる。
【手続補正１９】
【補正対象書類名】明細書
【補正対象項目名】００２９
【補正方法】変更
【補正の内容】
【００２９】
第１６〜１８の発明のうちいずれか一つの発明を前提とする第１９の発明（第１実施形態に対応）にかかるマーカ（２４）においては、ハンドル（２３）の延設方向（Ｘ）を含む鉛直面（Ｖ）に対し直交する幅方向（Ｙ）を含む水平面（Ｈ）に対し直交する中心線（２５ａ）の方向の両側のうち、一方の側にこの中心線（２５ａ）を中心として所定円周角度で延びる表面（２８）を設けるとともに、他方の側にこの中心線（２５ａ）を中心として所定円周角度で延びる裏面（２９）を設け、このマーカ（２４）の表面（２８）は前記中心線（２５ａ）から外側へ離間するに従い表面（１８）側から裏面（２９）側に向かうように傾斜して設けられている。第１９の発明では、マーカ(２４)の表面(２８)における反射光の反射向きを中心線（２５ａ）に直交する水平面（Ｈ）に対し傾斜させてゲージ（４）の目盛(１２)を容易に視認することができる。
【手続補正２０】
【補正対象書類名】明細書
【補正対象項目名】００３０
【補正方法】変更
【補正の内容】
【００３０】
第１６〜１８の発明のうちいずれか一つの発明を前提とする第２０の発明（第２実施形態に対応）にかかるマーカ（２４）においては、ハンドル（２３）の延設方向（Ｘ）を含む鉛直面（Ｖ）に対し直交する幅方向（Ｙ）を含む水平面（Ｈ）に対し直交する中心線（２５ａ）の方向の両側のうち、一方の側にこの中心線（２５ａ）を中心として所定円周角度で延びる表面（２８）を設けるとともに、他方の側にこの中心線（２５ａ）を中心として所定円周角度で延びる裏面（２９）を設け、このマーカ（２４）の表面（２８）は前記中心線（２５ａ）に対し直交する水平面（Ｈ）に沿って設けられている。第２０の発明では、ゲージ（４）の目盛（１２）が付された表面（７）に対しマーカ（２４）の表面（２８）が水平面（Ｈ）に沿って並ぶので、眼科手術のように顕微鏡を介して真上（鉛直方向）から術野を見る場合、ゲージ（４）の目盛（１２）を容易に視認することができる。
【手続補正２１】
【補正対象書類名】明細書
【補正対象項目名】００３１
【補正方法】変更
【補正の内容】
【００３１】
第１６〜１８の発明のうちいずれか一つの発明を前提とする第２１の発明（第３実施形態に対応）にかかるマーカ（２４）においては、ハンドル（２３）の延設方向（Ｘ）を含む鉛直面（Ｖ）に対し直交する幅方向（Ｙ）を含む水平面（Ｈ）に対し直交する中心線（２５ａ）の方向の両側のうち、一方の側にこの中心線（２５ａ）を中心として所定円周角度で延びる表面（２８）を設けるとともに、他方の側にこの中心線（２５ａ）を中心として所定円周角度で延びる裏面（２９）を設け、このマーカ（２４）の表面（２８）は前記中心線（２５ａ）から外側へ離間するに従い裏面（２９）側から表面（２８）側に向かうように傾斜して設けられている。第２１の発明では、マーカ(２４)の表面(２８)における反射光の反射向きを中心線（２５ａ）に直交する水平面（Ｈ）に対し傾斜させてゲージ（４）の目盛(１２)を容易に視認することができる。
【手続補正２２】
【補正対象書類名】明細書
【補正対象項目名】００３２
【補正方法】変更
【補正の内容】
【００３２】
第１９〜２１の発明のうちいずれか一つの発明を前提とする第２２の発明（第１〜３実施形態に対応）にかかる第二の眼科手術用器具（２）のハンドル（２３）において、尻端部（２３ｂ）から頭端部（２３ａ）側へ延設した把持部（３３）は、前記マーカ（２４）の中心線（２５ａ）から外側へ離間するに従いマーカ（２４）の裏面（２９）側から表面（２８）側に向かうように傾斜して設けられている。第２２の発明では、マーカ(２４)を有する第二の眼科手術用器具（２）において、ハンドル（２３）によりマーカ(２４)を容易に操作することができる。
【手続補正２３】
【補正対象書類名】明細書
【補正対象項目名】００３３
【補正方法】変更
【補正の内容】
【００３３】
請求項１〜７の発明のうちいずれか一つの請求項の発明、または第８〜２２の発明のうちいずれか一つの発明を前提とする第２３の発明（第１〜３実施形態に対応）にかかるハンドル（３，２３）の把持部（１４，３３）において、周方向で環状に連続する複数の突条（２２，３７）をハンドル（３，２３）の延設方向（Ｘ）へ互いに間隔をあけて並設した滑止部（２０，３５）を設け、この滑止部（２０，３５）の各突条（２２，３７）で、ハンドル（３，２３）の延設方向（Ｘ）を含む鉛直面（Ｖ）に沿う方向の両側のうち、一方の側に表部（２２ａ，３７ａ）を設けるとともに、他方の側に裏部（２２ｂ，３７ｂ）を設け、この鉛直面（Ｖ）に対し直交する幅方向（Ｙ）の両側でこの表部（２２ａ，３７ａ）と裏部（２２ｂ，３７ｂ）とを結ぶ側部（２２ｃ，３７ｃ）を設け、この側部（２２ｃ，３７ｃ）はこの表部（２２ａ，３７ａ）から裏部（２２ｂ，３７ｂ）に向かうに従いハンドル（３，２３）の尻端部（３ｂ，２３ｂ）側から頭端部（３ａ，２３ａ）側に向かうようにハンドル（３，２３）の延設方向（Ｘ）に対し傾斜している。例えば、この側部（２２ｃ，３７ｃ）は前記中心線（５ａ，２５ａ）に対し平行に設けられている。第２３の発明では、眼科手術用器具（１，２）において、特定形状の突条（２２，３７）を有する滑止部（２０，３５）によりハンドル（３，２３）の操作を行い易い。
【手続補正２４】
【補正対象書類名】明細書
【補正対象項目名】００３４
【補正方法】変更
【補正の内容】
【００３４】
第２３の発明を前提とする第２４の発明（第１〜３実施形態に対応）にかかるハンドル（３，２３）の把持部（１４，３３）において、滑止部（２０，３５）はハンドル（３，２３）の尻端部（３ｂ，２３ｂ）と頭部（１５，３４）との間の中間部とその頭部（１５，３４）との間に設けられている。第２４の発明では、眼科手術用器具（１，２）において、特定形状の突条（２２，３７）を有する滑止部（２０，３５）によりハンドル（３，２３）の操作を行い易い。
【手続補正２５】
【補正対象書類名】明細書
【補正対象項目名】００３５
【補正方法】変更
【補正の内容】
【００３５】
第２４の発明を前提とする第２５の発明（第１〜３実施形態に対応）にかかるハンドル（３，２３）の把持部（１４，３３）において、ハンドル（３，２３）の尻端部（３ｂ，２３ｂ）と滑止部（２０，３５）との間には滑止部（２０，３５）と異なる指当部（２１，３６）を設けている。第２５の発明では、眼科手術用器具（１，２）において、特定形状の突条（２２，３７）を有する滑止部（２０，３５）とその滑止部（２０，３５）と異なる指当部（２１，３６）とによりハンドル（３，２３）の操作を行い易い。